(57)【要約】【課題】手指などを突き刺す危険のある金具を一切使用しない見出し付き小冊子を製本作成するための型用紙を提供する。【解決手段】中央面部２の両脇に、折線３、４を介して第１面部５と第２面部６を設け、該第１面部５はその上縁５ａを前記中央面部２の上縁より予め画定した見出し幅Ｍ分削除し、下縁５ｂを前記中央面部２の下縁２ｂより見出し幅Ｍの２倍分延ばし、その延び分の１／２幅の位置に沿って切取線７を設ける一方、前記第２面部６はその上縁６ａが前記中央面部２の上縁２ａより見出し幅Ｍの２倍分削除し、下縁６ｂを前記中央面部２の下縁６ｂより見出し幅Ｍの２倍分延ばしたことを特徴とし、機械的な糊付けと折込みとが可能になるように構成した。【選択図】  図１
2005074789.tif 000002
【特許請求の範囲】
【請求項１】
中央面部の両脇に、折線を介して第１面部と第２面部を設け、該第１面部はその上縁を前記中央面部の上縁より予め画定した見出し幅分削除し、下縁を前記中央面部の下縁より見出し幅の２倍分延ばし、その延び分の１／２幅の位置に沿って切取線を設ける一方、前記第２面部はその上縁が前記中央面部の上縁より見出し幅の２倍分削除し、下縁を前記中央面部の下縁より見出し幅の２倍分延ばしたことを特徴とする見出し付き小冊子作成用の型用紙。
【発明の詳細な説明】
【技術分野】
【０００１】
本発明は商品等に附属する仕様書や商品等の宣伝のための見出し付き小冊子を糊付けのみで製本作成できるようにした見出し付き小冊子作成用の型用紙に関するものである。
【背景技術】
【０００２】
従来、見出し付き小冊子は、例えば図６（ａ）の如く山折した３枚の紙葉６１、６２、６３を山折線６１ａ、６２ａ、６３ａにて重ね、該重ね部をホッチキス針等の金具６４、６４で止めて固定することによって、同図（ｂ）のような見出し６５が付いた１２頁の小冊子６６を製本していた。
【０００３】
上記見出し付きの小冊子６５は、各頁が見出しに対応する内容になっていることは勿論のこと、各頁の見出し幅Ｍを体裁良くズラして製本するために、３枚の紙葉６１、６２、６３のサイズの画定と、山折位置の画定とをそれぞれする必要がある。この山折位置は各紙葉毎に異なるため、山折工程とその折部への糊付工程を機械的（自動的）に行うことは容易ではなく、機械的に糊付けのみで製本することができなかった。したがって、各紙葉６１、６２、６３は、上述の如く山折線６１ａ、６２ａ、６３ａにて重ね、その重ね線の複数個所をホッチキス針等の金具６４、６４で止める金具による製本以外になかった。
【発明の開示】
【発明が解決しようとする課題】
【０００４】
しかしながら、ホッチキス針のような金具で綴じたものは、金具が本の扁平化に邪魔になって薄い小冊子に製本化できなかったし、特に、露出する金具の尖った端部で手指などを突き刺す危険があり、したがって、近年、糊のみにより綴じた見出し付き小冊子に対する要望が強くなってきた。
【０００５】
本発明は、上記の点に鑑み創出したもので、その目的とするところは、見出し付き小冊子を薄く仕上げ、しかも手指などを突き刺す危険のある金具を一切使用しない見出し付き小冊子を製本作成するための型用紙を提供することにある。
【課題を解決するための手段】
【０００６】
上記目的を達成するため、本発明に係る見出し付き小冊子作成用の型用紙は、中央面部の両脇に、折線を介して第１面部と第２面部を設け、該第１面部はその上縁を前記中央面部の上縁より予め画定した見出し幅分削除し、下縁を前記中央面部の下縁より見出し幅の２倍分延ばし、その延び分の１／２幅の位置に沿って切取線を設ける一方、前記第２面部はその上縁が前記中央面部の上縁より見出し幅の２倍分削除し、下縁を前記中央面部の下縁より見出し幅の２倍分延ばしたことを特徴とする。
【発明の効果】
【０００７】
本発明に係る見出し付き小冊子作成用の型用紙は、中央面部の両脇に、折線を介して第１面部と第２面部を設け、該第１面部はその上縁を前記中央面部の上縁より予め画定した見出し幅分削除し、下縁を前記中央面部の下縁より見出し幅の２倍分延ばし、その延び分の１／２幅の位置に沿って切取線を設ける一方、前記第２面部はその上縁が前記中央面部の上縁より見出し幅の２倍分削除し、下縁を前記中央面部の下縁より見出し幅の２倍分延ばしたことを特徴としているから、機械的な糊付けと折込みとが可能である。従って、糊付けのみ（金具を一切使用しない）で見出し付き小冊子が簡易にしかも安価に製本作成できるという優れた効果を奏するものである。
【発明を実施するための最良の形態】
【０００８】
次に、本発明の実施態様を添付図面に基づいて説明する。図１は本願型用紙の平面図、図２は本願型用紙の第１面部を中央面部に折重ねた状態を示す平面図、図３は第１面部と中央面部との重ね体を第２面部に折重ねた状態を示す平面図、図４は第１面部、中央面部及び第２面部の重ね体を糊線位置から上下２つ折した状態を示す平面図、図５は切取線より切り取って完成する見出し付き小冊子の斜視図である。
【０００９】
本願型用紙１は、中央面部２の両脇に、折線（一点鎖線で示す）３、４を介して第１面部５と第２面部６とをそれぞれ設けている。この第１面部５は、その上縁５ａを前記中央面部２の上縁２ａより予め画定した見出し幅Ｍ分だけ削除し、下縁５ｂを前記中央面部２の下縁２ｂより前記見出し幅Ｍの２倍（２×Ｍ）分延ばし、その延び分の１／２幅の位置に沿って切取線（破線）７を設けている。なお、前記第１面部５の上縁５ａの削除分は、中央面部２の上縁２ａを第１面部５の上縁５ａに対して見出し幅Ｍ分だけ延ばしたことと同じことになっている。
【００１０】
前記第２面部６はその上縁６ａを前記中央面部２の上縁２ａより見出し幅Ｍの２倍分だけ削除し、下縁６ｂを前記中央面部２の下縁２ｂより見出し幅Ｍの２倍分延ばしている。この第２面部６の下縁６ｂと、前記第１面部５の下縁５ｂとは前記中央面部２の下縁２ｂより延び分が共通（２×Ｍ）になっている。これは本願型用紙１を用い、後記する如く、幾つかの工程を経て製本する過程にて位置決めの基準線になるものである。従って、前記切取線７は全製本工程が済んでから、該切取線７より先の延び分５ｂ′を切り取ることとなる。
【００１１】
次に、本願型用紙１を用いた製本工程について説明する。まず、本願型用紙１を、第１面部５の下縁５ｂと第２面部６の下縁６ｂとを基準線として製本機（図示せず）上をそのガイド板（図示せず）に沿って、第１面部５側を先頭にして搬送する。勿論、第２面部６側を先頭にしてもよい。
【００１２】
上記搬送中に、図１に点線で示す如く、本願型用紙１の第１面部５と中央面部２と第２面部６を通して糊塗布機（図示せず）にて糊塗布線８を設ける。この糊塗布線８は、本願型用紙１の中央面部２の上縁２ａと、下縁２ｂの見出し幅Ｍ分だけ内側にズラした位置Ｐとの中間点Ｐ′を通る上下縁と平行線上になる。
【００１３】
前記糊塗布線８が設けられた本願型用紙１は、製本機の第１折曲盤（図示せず）上に搬送され停止する。該第１折曲盤には上方にナイフ板（図示せず）、盤面に受け溝（図示せず）があり、これらナイフ板の下降と受け溝の通過（作用）により本願型用紙１は折線３より、図２の一点鎖線矢印イの如く折られ、第１面部５が前記中央面部２の上面に重ねられる。そして、第１折曲盤下のライン上において前記糊塗布線８に対応する個所が圧迫され、該糊塗布線８を介して第１面部５と中央面部２とが互いに確実に糊着される。
【００１４】
前記第１面部５と中央面部２とが前記糊塗布線８を介して糊着された後の重ね体Ｋ１は第１面部５の上縁５ａと中央面部２の上縁２ａとの二線が見出し幅Ｍ分だけズレるとともに、中央面部２の下縁（破線）２ｂと切取線７と第１面部５の下縁５ｂとの三線も同様に見出し幅Ｍ分づつズレることとなる。なお、中央面部２に重ねた第１面部５はその外端縁５ｃが中央面部２と第２面部６との間の折線４に重ならないように予め横幅が調整されている。
【００１５】
次いで、第１面部５と中央面部２との重ね体Ｋ１が第２折曲盤（図示せず）上に搬送され停止すると、該第２折曲盤上において、ここに備えたナイフ板（図示せず）と受け溝（図示せず）との作用により前述したと同様に本願型用紙１は折線４より、図３の一点鎖線矢印ロの如く折られ、前記第２面部６の上面に重ねられる。そして第２折曲盤下のラインにおいて前記糊塗布線８に対応する個所が圧迫され、第１面部５と第２面部６とが前記糊塗布線８を介して確実に糊着されることとなる。
【００１６】
このようにして、糊着された後の重ね体Ｋ２は、第１面部５の上縁（破線）５ａと中央面部２の上縁２ａと第２面部６の上縁（破線）６ａとの三線が、見出し幅Ｍ分づつズレるとともに、中央面部２の下縁２ｂと切取線７と第１面部５の下縁５ｂとの三線も同様に見出し幅Ｍ分づつズレることとなる。なお、第２面部６の下縁６ｂは、第１面部５の下縁５ｂに重なっていて見えないが、将来、切取線７が切り取られた後には顕在化することとなる。
【００１７】
次いで、第１面部５と中央面部２と第２面部６との重ね体Ｋ２は、第３折曲盤（図示せず）上まで搬送され停止すると、該第３折曲盤上において、ここに備えたナイフ板（図示せず）と受け溝（図示せず）との作用により前記糊塗布線８に対応する個所（図３の一点鎖線で示す）Ａより、図４の一点鎖線矢印ハの如く折られ、上下２つ折りされる。そして第３折曲盤下のライン上において前記折られた糊塗布線８に対応する個所が圧迫され、偏平化される。
【００１８】
しかる後、第１面部５と中央面部２と第２面部６との折線３、４の部分を含めて両サイドが切り落とされるとともに、図５の如く、第１面部５の延び分５ｂ′がその切取線７より切り取られる。この切り取りにより切取線７のあった線が第１面部５の下縁５ｂ″となる。つまり、完成した見出し９が付いた小冊子（１２頁物）１０は、その見出し端が、上から中央面部２の上縁２ａ／第１面部５の上縁５ａ／第２面部６の上縁６ａ／中央面部２の下縁２ｂ／第１面部５の切取線７より切取った後の下縁５ｂ″／第２面部６の下縁６ｂの如くズレて製本されることとなる。
【００１９】
なお、上記説明では、横長の見出し付き小冊子が示されているが、縦長の見出し付き小冊子にすることも本願型用紙１の中央面部２の寸法の画定と、その両脇の第１面部５と第２面部６の寸法を画定することにより可能である。また、本願型用紙１は、その第１面部５と中央面部２と第２面部６からなる１２頁物ばかりでなく、例えば、第１面部５又は第２面部６の一方を省略して８頁物にすることも可能であるし、図３の状態のものを複数用意し、それらを糊塗布線８の対応個所Ａに糊塗布線８を介して重ねて糊着し、見出しが重ならないように寸法を画定することにより２４頁物、３６頁物、４８頁物の如く、頁数を漸次増加させることも可能である。
【産業上の利用可能性】
【００２０】
本願型用紙１は見出し付き商品仕様書、見出し付き商品カタログ、見出し付き会社案内書などに利用できるものである。
【図面の簡単な説明】
【００２１】
【図１】本願型用紙の平面図である。
【図２】本願型用紙の第１面部を、中央面部に折重ねた状態を示す平面図である。
【図３】第１面部と中央面部との重ね体を、第２面部に折重ねた状態を示す平面図である。
【図４】第１面部、中央面部及び第２面部の重ね体を、糊線位置から上下２つ折した状態を示す平面図である。
【図５】切取線より切り取って完成する見出し付き小冊子の斜視図である。
【図６】従来の見出し付き小冊子の作成途中の斜視図で、（ａ）は３枚の紙葉の山折状態を示し、（ｂ）は山折した３枚の紙葉を重ねて金具で止めた状態である。
【符号の説明】
【００２２】
１  本願型用紙
２  中央面部
３、４  折線
５  第１面部
５ａ  第１面部の上縁
５ｂ  第１面部の下縁
５ｂ′  第１面部の下縁の延び分
５ｂ″  切取線から切り取った後の下縁
５ｃ  第１面部の外端縁
６  第２面部
６ａ  第２面部の上縁
６ｂ  第２面部の下縁
７  切取線
８  糊塗布線
９  見出し
１０  見出し付き小冊子
Ｋ１、Ｋ２  重ね体
Ｍ  見出し幅
Ａ  糊塗布線の対応個所
【図１】
2005074789.tif 000003
【図２】
2005074789.tif 000004
【図３】
2005074789.tif 000005
【図４】
2005074789.tif 000006
【図５】
2005074789.tif 000007
【図６】
2005074789.tif 000008